(57)【要約】【課題】  簡易な作業で商品の演出をより効果的に行うことが可能な反射板付き容器を提供する。【解決手段】  透明性を有する観察窓４ａ〜４ｄが形成された側面１ａ〜１ｄと、各側面１ａ〜１ｄと一辺を共有し、透明性を有する窓が形成された入射面２と、側面１ａ〜１ｄに対して傾斜して設けられ、透明性および反射性を有する反射板５ａ〜５ｄと、側面１ａ〜１ｄと一辺を共有し、内容物を収容するために開閉可能な面である収容面３と、を有することを特徴とする反射板付き容器１０。【選択図】  図１
2020090304.tif 000002
【特許請求の範囲】
【請求項１】
透明性を有する窓が形成された側面と、
前記側面と一辺を共有し、透明性を有する窓が形成された入射面と、
前記側面に対して傾斜して設けられ、透明性および反射性を有する反射板と、
前記側面と一辺を共有し、内容物を収容するための面である収容面と、
を有することを特徴とする反射板付き容器。
【請求項２】
前記反射板は、上底が収容面、下底が入射面の側に位置し、上底が下底より大きい台形状であって、前記側面に対応して設けられており、
前記反射板は、前記台形状の各脚を隣接する反射板の各脚と沿うようにして配置され、収容面の側に前記上底を各辺とする多角形の開口が形成され、入射面の側に前記下底を各辺とする多角形の開口が形成された連接体を形成していることを特徴とする請求項１に記載の反射板付き容器。
【請求項３】
前記反射板と前記側面のなす角度は、１５度以上６０度以下であることを特徴とする請求項１または請求項２に記載の反射板付き容器。
【請求項４】
前記側面を４つ備えており、
前記入射面、前記収容面は四角形であることを特徴とする請求項１から請求項３のいずれか一項に記載の反射板付き容器。
【請求項５】
前記各面は前記窓を除き１枚の基材により連接されていることを特徴とする請求項１から請求項４のいずれか一項に記載の反射板付き容器。
【発明の詳細な説明】
【技術分野】
【０００１】
本発明は、内容物を効果的に演出するための反射板付き容器に関する。
【背景技術】
【０００２】
従来、商品そのもの、あるいは商品を収容するパッケージ、包装、容器等には、様々な装飾が施され、商品を演出し、顧客の購買意欲を高めている。近年では、スマートフォンと呼ばれる多機能型の携帯電話機が普及しており、スマートフォンの画面に表示された画像を用いて商品を演出することも行われている（特許文献１参照）。
【先行技術文献】
【特許文献】
【０００３】
【特許文献１】特開２０１３−２２８９５９号公報
【発明の概要】
【発明が解決しようとする課題】
【０００４】
しかしながら、上記従来の技術では、商品を撮影する作業が必要になり、また、スマートフォンで起動させるための複雑なプログラムが必要となる、等の問題がある。
【０００５】
そこで、本発明は、簡易な作業で商品の演出をより効果的に行うことが可能な反射板付き容器を提供することを課題とする。
【課題を解決するための手段】
【０００６】
上記課題を解決するため、本発明では、
透明性を有する窓が形成された側面と、
前記側面と一辺を共有し、透明性を有する窓が形成された入射面と、
前記側面に対して傾斜して設けられ、透明性および反射性を有する反射板と、
前記側面と一辺を共有し、内容物を収容するための面である収容面と、
を有することを特徴とする反射板付き容器を提供する。
【０００７】
また、本発明の反射板付き容器は、
前記反射板は、上底が収容面、下底が入射面の側に位置し、上底が下底より大きい台形状であって、前記側面に対応して設けられており、
前記反射板は、前記台形状の各脚を隣接する反射板の各脚と沿うようにして配置され、収容面の側に前記上底を各辺とする多角形の開口が形成され、入射面の側に前記下底を各辺とする多角形の開口が形成された連接体を形成していることを特徴とする。
【０００８】
また、本発明の反射板付き容器は、
前記反射板と前記側面のなす角度は、１５度以上６０度以下であることを特徴とする。
【０００９】
また、本発明の反射板付き容器は、
前記側面を４つ備えており、
前記入射面、前記収容面は四角形であることを特徴とする。
【００１０】
また、本発明の反射板付き容器は、
前記各面は前記窓を除き１枚の基材により連接されていることを特徴とする。
【発明の効果】
【００１１】
本発明によれば、簡易な作業で商品の演出をより効果的に行うことが可能となる。
【図面の簡単な説明】
【００１２】
【図１】本発明の一実施形態に係る反射板付き容器の斜視図である。
【図２】本発明の一実施形態に係る反射板付き容器の構造を示すため、透視した状態の斜視図である。
【図３】本発明の一実施形態に係る反射板付き容器の反射板以外の部分の展開図である。
【図４】本発明の一実施形態に係る反射板付き容器を用いて画像を投影した状態を示す図である。
【図５】本発明の一実施形態に係る容器を側面から見た場合の画像の投影の様子を示す図である。
【発明を実施するための形態】
【００１３】
以下、本発明の好適な実施形態について、図面を用いて詳細に説明する。
＜反射板付き容器の構成＞
図１は本発明の一実施形態に係る反射板付き容器の斜視図である。図２は本発明の一実施形態に係る反射板付き容器の構造を示すため、透視した状態の仮想的な斜視図である。図３は本発明の一実施形態に係る反射板付き容器の反射板以外の部分の展開図である。
【００１４】
図１に示すように、本実施形態に係る反射板付き容器１０は、外形が六面体である直方体形状である。六面体は、４つの側面となる側面１ａ〜１ｄ、入射面２、収容面３の６面により構成されている。４つの側面１ａ〜１ｄには、それぞれ観察窓４ａ〜４ｄが形成されている。側面１ａ〜１ｄとそれぞれ一辺を共有する、正方形状であって互いに対向する２つの面のうち、一方が入射面２、他方が収容面３となっている。入射面２、収容面３がともにっ同一サイズの正方形状であることにより、側面１ａ〜１ｄは互いに合同な長方形状となっている。図１の例では、円形状の観察窓４ａ、四角形状の４ｂから容器１０の内部が観察できる状態となっている。
【００１５】
側面１ａ〜１ｄ、入射面２、収容面３の６つの面に囲まれた直方体形状の容器１０の内部は空洞であるが、図２の斜視図に示すように、この空洞に、側面１ａ〜１ｄそれぞれに対応して等脚台形状の反射板５ａ〜５ｄが配置されている。反射板５ａ〜５ｄは、互いに平行な上底と下底を有しているが、上底が下底より長くなっている。上底は収容面３の各辺と１辺を共有している。反射板５ａ〜５ｄは、それぞれ対応する側面１ａ〜１ｄと所定の角度を形成するようにして、傾斜して配置されており、下底が入射面２上に位置するように配置されている。
【００１６】
反射板５ａ〜５ｄは、互いに合同な台形状であり、互いに合同な側面１ａ〜１ｄと所定の角度を有するようにして配置されているため、反射板５ａ〜５ｄの下底は入射面２上で正方形を構成する。そして、台形の脚となる２辺は、それぞれ隣り合う反射板５ａ〜５ｄの脚と沿うようにして配置される。より具体的には、それぞれ隣り合う反射板５ａ〜５ｄの脚と重なるように配置する。すなわち、隣接する反射板５ａ〜５ｄの間で隙間ができないように台形の脚となる辺を共有する。反射板５ａ〜５ｄの４つの下底により正方形状の底面２ａが入射面２上に形成される。入射面２、反射板５ａ〜５ｄ、収容面３の６面により収容部が形成される。容器内は、反射板５ａ〜５ｄにより収容部と非収容部に区分されることになる。
【００１７】
入射面２のうち底面２ａは、収容部を区画する１つの面となっている。正方形状の底面２ａの４つの各辺は、それぞれ反射板５ａ〜５ｄの下底となっている。底面２ａについては、透明性を有していてもよいし、透明性を有していなくてもよい。本実施形態では、底面２ａも透明性を有している。反射板５ａ〜５ｄが、それぞれ対応する側面１ａ〜１ｄとなす角度は適宜設定できるが、１５度以上６０度以下であることが好ましく、２０度以上５０度以下であることがより好ましい。本実施形態では、側面１ａ〜１ｄが入射面２となす角度は、９０度であるので、反射板５ａ〜５ｄが、入射面２となす角度は、３０度以上７５度以下であることが好ましく、４０度以上７０度以下であることがより好ましいことになる。
【００１８】
図１に示すように、側面１ａ〜１ｄは、容器内の内容物および画像を視認するための観察窓４ａ〜４ｄを有している。観察窓４ａ〜４ｄは、透明性を有していることが必要となる。本実施形態で、透明性を有しているといえるためには、可視光透過率が９３％以上であることが好ましく、９５％以上であることがより好ましい。可視光透過率はＪＩＳ  Ｒ３１０６に準拠したものである。本実施形態では、面全体が透明性を有していてもよいが、必ずしも面全体である必要はなく、内容物の収容位置および画像の表示位置を考慮し、内容物および画像が外部から視認可能な箇所が透明性を有していればよい。
【００１９】
入射面２は、容器内の内容物および画像を視認するための入射窓６を有している。入射窓６は、スマートフォンの画面等の表示画面から出力された画像を、容器内に入射させるための窓であるため、観察窓４ａ〜４ｄと同様、透明性を有していることが必要となる。この画像も利用者に視認させるものであるため、入射窓６の可視光透過率も９３％以上であることが好ましく、９５％以上であることがより好ましい。
【００２０】
反射板５ａ〜５ｄは、容器内の内容物を、光を透過させることにより視認可能とするものであるため、透明性を有していることが必要となる。このため、反射板５ａ〜５ｄについても、可視光透過率が９３％以上であることが好ましく、９５％以上であることがより好ましい。一方、反射板５ａ〜５ｄは、表示画面から出力されて入射窓６を通過した画像を反射させて、対応する観察窓４ａ〜４ｄに導くためのものであるため、反射性を有していることが必要となる。本実施形態で、反射性を有しているといえるためには、可視光反射率が５％以上であることが好ましく、７％以上であることがより好ましい。可視光反射率はＪＩＳ  Ｒ３１０６に準拠したものである。
【００２１】
収容面３は、収容する内容物を容器内に出し入れするための面であるため、開閉可能な構造である必要がある。本実施形態では、側面１ａ〜１ｄのいずれか１つにのみ接続されており、開いたり閉じたりすることが可能となっている。収容面３は、透明性を有していてもよいし、透明性を有していなくてもよい。
【００２２】
容器の側面１、入射面２、収容面３、観察窓４、入射窓６の態様としては、特に限定されず、様々な態様で構成することができる。本実施形態では、容器の６面を１枚の連続する基材を基礎として、透明性を有する部材で観察窓４、入射窓６を付加した構成としている。図３は、本実施形態に係る容器の各面の構成する基材の展開図である。図３は、完成後に内面となる側から見た状態を示している。図３に示すように、１枚の基材は、側面１ａ〜１ｄ、入射面２、収容面３の６面が連接されている。すなわち、側面１ａ〜１ｄ、入射面２、収容面３の各面は、観察窓４、入射窓６等の窓を除き１枚の基材により連接されている。具体的には、側面１ｄの４辺のうち各１辺を共有して、それぞれ側面１ａ、側面１ｃ、入射面２、収容面３が連接されており、側面１ａと１辺を共有して、側面１ｂが連接されている。
【００２３】
また、側面１ｃには差込片７ａ、７ｂ、側面１ａには差込片７ｃ、７ｄ、側面１ｂには差込片７ｅ、入射面２には差込片７ｇ、収容面３には差込片７ｆがそれぞれ連接されている。そして、側面１ａ〜１ｄには、所定形状の開口が形成され、開口を覆うようにして透明性を有する部材が貼付され、観察窓４ａ〜４ｄが形成されている。さらに、入射面２にも、所定形状の開口が形成され、開口を覆うようにして透明性を有する部材が貼付され、入射窓６が形成されている。
【００２４】
図３に示した基材は、各面どうしの連接辺、各面と差込片の連接辺がすべて谷折り用の折線となる。各折線を約９０度谷折りすることにより容器を構成することができる。差込片７ｂ、７ｄ、７ｅ、７ｇについては、折り返した後、他の面と接触する箇所に接着剤が塗布される。そして、各辺を谷折りして、差込片７ｂ、７ｄを入射面２の内面、差込片７ｅを側面１ｃの内面、差込片７ｇを側面１ｂの内面、にそれぞれ接着することにより、収容面だけが開閉可能な形態の６面体が形成される。
【００２５】
次に、台形状の反射板５ａ〜５ｄそれぞれの脚どうしを接続し、互いの上底どうしにより収容面３と同一サイズ、同一形状の四角形の開口を形成し、互いの下底どうしにより底面２ａと同一サイズ、同一形状の四角形の開口を形成した反射板の連接体が得られる。この連接体の小さい開口側を入射面２に向けて挿入し、反射板５ａ〜５ｄの各上底を収容面３の側に向けて配置する。そして、差込片７ｆを用いて収容面３を差し込み、外形が６面体である反射板付き容器が完成する。
【００２６】
＜部材＞
基材としては、所定の厚みをもつボール紙等の多層抄きした紙を用いることができる。本実施形態では、多層抄きしたボール紙を用いている。容器の強度を保つためである。このため、基材の厚さは、２００μｍ以上６００μｍ以下であることが好ましい。また、基材３１の坪量は、２７０ｇ／ｍ2以上４００ｇ／ｍ2以下、特に３００ｇ／ｍ2以上３５０ｇ／ｍ2以下であることが好ましい。これらの厚さや坪量が下限に満たない場合は、容器１０を支持するための基材としての強度が弱くなり、これらの厚さや坪量が上限を超える場合は、資源の効率的な利用とならないためである。
【００２７】
観察窓４ａ〜４ｄは、上述のように透明性を有していることが必要となる。特に、上述のように可視光透過率が９３％以上であることが好ましい。このような条件を満たす素材であれば、特に限定されないが、ポリエチレンテレフタレート、ポリブチレンテレフタレートなどのポリエステルフィルム、ナイロンなどのポリアミドフィルム、ポリプロピレンフィルムなどを用いることができる。厚みは、１０μｍ〜５０μｍ程度である。これらのような樹脂フィルムを用いる場合、二軸延伸されていることが好ましい。入射窓６としても、観察窓４ａ〜４ｄと同様の部材を用いることができる。
【００２８】
反射板５ａ〜５ｄは、上述のように透明性および反射性を有していることが必要となる。特に、上述のように可視光透過率が９３％以上であり、かつ、可視光反射率が５％以上であることが好ましい。このような条件を満たす素材であれば、特に限定されないが、観察窓４ａ〜４ｄ、入射窓６と同様に、ポリエチレンテレフタレート、ポリブチレンテレフタレートなどのポリエステルフィルム、ナイロンなどのポリアミドフィルム、ポリプロピレンフィルム、ポリ塩化ビニルフィルムなどを用いることができる。厚みは、２５μｍ〜１００μｍ程度である。これらのような樹脂フィルムを用いる場合、二軸延伸されていることが好ましい。
【００２９】
＜実施例＞
基材としてトライフ社製のアルミニウム貼合紙「ミラックス（厚さ０．３６ｍｍ、坪量３１０ｇ／ｍ2）」を用いた。アルミニウム貼合紙のサイズは、横８０ｍｍ×縦１１０ｍｍの長方形状とした。このアルミニウム貼合紙にオフセット印刷にて両面に印刷を行った。続いて、観察窓４ａ〜４ｄ、入射窓６とするための所定形状の貫通孔を、それぞれ側面１ａ〜１ｄ、入射面２に形成した。そして、厚み１２μｍのポリエチレンテレフタレート（ＰＥＴ）フィルムを、接着剤を用いて基材の内面側から貼り合わせた。
【００３０】
その後、各辺を谷折りして、差込片７ｂ、７ｄを入射面２の内面、差込片７ｅを側面１ｃの内面、差込片７ｇを側面１ｂの内面、にそれぞれ接着することにより、収容面３だけが開閉可能な形態の６面体が形成される。一方、厚み５０μｍの二軸延伸ポリプロピレンのフィルムを台形状に切断して観察窓４ａ〜４ｄを形成した。そして、台形状の観察窓４ａ〜４ｄを、上底どうしが大きい四角形の開口、下底どうしが小さい四角形の開口を形成するようにして、隣接する脚どうしを重ね合わせ、隣接する脚部分に重なるように粘着テープを貼ることにより、反射板の連接体を形成した。この連接体の小さい開口側を入射面２に向けて挿入し、反射板５ａ〜５ｄの各上底を収容面３の側に向けて配置した。最後に、差込片７ｆを用いて収容面３を差し込み、外形が６面体である反射板付き容器が得られた。
【００３１】
＜画像の投影＞
図４は、本実施形態に係る容器を用いて画像の投影を行った状態を示す図である。図４においては、投影の様子を理解し易くするため、図２と同様、容器１０を透視した状態を示している。図４においては、スマートフォンＳＭを、表示画面を上方に向けて所定の箇所に載置し、スマートフォンＳＭの表示画面上に、入射面２を下方に向けた状態で、容器１０を載置している。
【００３２】
この状態で、スマートフォンＳＭにおいて所定のプログラムを起動した。このプログラムは、内容物に対応した４つの互いに同一な画像を所定の点を中心として、対称的な位置および向きで表示させるものである。そのため、図４に示すように、スマートフォンＳＭの画面には、４つの対称的な向きの同一な画像ＩＭａ〜ＩＭｄが表示された。図４においては、笑顔を模した画像を表示した状態を示している。そして、図４に示すように、４つの対称的な同一の画像ＩＭａ〜ＩＭｄが、底面２ａを囲む位置であって、それぞれ反射板５ａ〜５ｄに相対するように位置調整を行った。
【００３３】
すると、４つの画像ＩＭａ〜ＩＭｄは、それぞれ入射面２の入射窓６を介して容器内に入射され、それぞれ反射板５ａ〜５ｄにより反射されて、側面１ａ〜１ｄの観察窓４ａ〜４ｄから出射された。このとき、観察者からは、図４に示すように、画像ＩＭａ〜ＩＭｄと同一の像ＩＭｚが収容部の中央に浮かんでいるように見えた。このとき、収容部に内容物を収容しておくことにより、各観察窓４ａ〜４ｄからは像ＩＭｚとともに、内容物を確認することができる。内容物の位置と画像の表示位置をあらかじめ所定の関係となるように設定しておくことにより、表示画像により内容物を効果的に演出することができる。例えば、内容物として加熱調理済みの食品を収容しておき、その下方に炎の像ＩＭｚが浮かび上がるように調整しておくことにより、より効果的な演出が可能となる。
【００３４】
画像の投影の原理について説明する。図５は、本実施形態に係る容器を側面から見た場合の画像の投影の様子を示す図である。図５に示すように、スマートフォンＳＭに表示された画像ＩＭａは、入射面２に形成された入射窓６から容器１０内に入射される。そして、入射した光は、所定の反射率を有する反射板５ａにより反射されて、側面１ａに形成された観察窓４ａから出射されて、外部の観察者の目に像ＩＭｚとして入射する。図４において、画像ＩＭａの左端は像ＩＭｚの上端、画像ＩＭａの右端は像ＩＭｚの下端として投影されることになる。
【００３５】
以上、本発明の好適な実施形態について説明したが、本発明は、上記実施形態に限定されず、種々の変形が可能である。例えば、上記実施形態では、４つの側面を持ち、収容面および入射面を四角形とする外形が六面体の形状としたが、側面の数は３つ以上であれば任意の数とすることができ、収容面および入射面の形状は、側面の数に合わせた多角形とすることができる。また、側面の数に合わせて、各側面に対応する反射板を形成しておくことにより、どの側面から見ても反射した画像を内容物とともに観察することができる。
【００３６】
また、上記実施形態では、４つの側面それぞれに観察窓を形成することにより、どの側面からでも反射した画像を内容物とともに観察することができるようにしたが、必ずしも全ての側面に観察窓を形成する必要はなく、少なくとも1つ以上の側面に観察窓を形成すればよい。１つの側面にのみ観察窓が形成されている場合、他の側面から見ることができないため、その側面のみに特殊な効果を与えることができ、容器の外面に施した印刷等の装飾等と組み合わせて効果的な演出を行うことができる。一方、上記実施形態のように全ての側面に観察窓を形成した場合、どの側面からでも内容物と画像を確認でき、内容物の様々な角度から画像とのコラボレーションを楽しむことができる。
【００３７】
また、上記実施形態では、１つの連続する基材で６つの面を構成し、この基材とは別の部材で窓を形成するようにしたが、収容面が開閉可能であれば、特に限定されず、様々な態様で構成することができる。例えば、比較的硬質で透明性を有する樹脂を各面の素材として用いることにより、面全体を透明性を有する窓とすることができる。
【符号の説明】
【００３８】
１ａ〜１ｄ・・・側面
２・・・入射面
２ａ・・・底面
３・・・収容面
４ａ〜４ｄ・・・観察窓
５ａ〜５ｄ・・・反射板
６・・・入射窓
７ａ〜７ｇ・・・差込片
１０・・・容器
【図１】
2020090304.tif 000003
【図２】
2020090304.tif 000004
【図３】
2020090304.tif 000005
【図４】
2020090304.tif 000006
【図５】
2020090304.tif 000007